(57)【要約】【課題】集塵体の未装着防止手段を確実に機能させることができる電気掃除機を提供する。【解決手段】集塵体３と、集塵体３の上方を覆う断面略Ｕ字状のカバー体５と、カバー体５の側方縁１０近傍に配設され、集塵体３が未装着時に前記カバー体５が完全には閉まらないようにするための操作体７を備え、操作体７のカバー体５が当接するカバー体当接部９に、側方縁１０が外方に開くのを防止する開き防止突部１１を設けたもので、集塵体３未装着状態で剛性の低い略Ｕ字状のカバー体５の側方縁１０近傍を操作体７のカバー体当接部９に当接させカバー体５の閉まりを防止している状態で、カバー体５が強い力で押さえ付けられた場合にも、カバー体５の側方縁１０が操作体７の外側に外れてロックが解除してしまうことを防止することが可能となり、操作体７の信頼性を向上させることが出来る。【選択図】図４
2013048724.tif 000002
【特許請求の範囲】
【請求項１】
集塵体と、前記集塵体の上方を覆う断面略Ｕ字状のカバー体と、前記カバー体の側方縁近傍に配設され、前記集塵体が未装着時に前記カバー体が完全には閉まらないようにするための未装着防止手段を備え、前記未装着防止手段の前記カバー体が当接するカバー体当接部に、前記側方縁が外方に開くのを防止する開き防止手段を設けた電気掃除機。
【請求項２】
開き防止手段として、カバー体当接部のカバー体の側方縁より外側に、前記側方縁が外方に開くのを防止する開き防止突部を設けた請求項１に記載の電気掃除機。
【請求項３】
開き防止手段として、カバー体当接部に外側上がりの傾斜面を設けると共に、カバー体の未装着防止手段が当接する当接部に、前記傾斜面と対向する傾斜部を設けた請求項１に記載の電気掃除機。
【発明の詳細な説明】
【技術分野】
【０００１】
本発明は、電気掃除機に関するもので、特に、電気掃除機の集塵ボックスの未装着防止手段に関するものである。
【背景技術】
【０００２】
従来の電気掃除機の集塵体は、集塵袋を採用しているものが主流であった。しかしながら、このような構成の集塵体は、塵埃が一杯になる度、新しい集塵体に交換する必要があり、購入費用が発生するという課題があった。
【０００３】
このような背景から、近年、集塵袋の購入費用を抑えたいというニーズから、集塵体として集塵ボックスを採用したものが多く出回るようになった。このように、集塵体には集塵袋を採用するものと、集塵ボックスを採用するものが出回っているが、集塵袋を採用する場合には、気密性を保つために、また、集塵ボックスを採用する場合には外観性向上の観点から、それぞれ集塵体の上方を覆うカバー体が設けられており、そのカバー体は、集塵体が未装着時には完全には閉まらず、その状態で掃除され塵埃が直接電動送風機に吸引され不具合が出ないよう、通常、未装着防止手段が配設されており、その配設位置というのは、集塵体に集塵袋を採用する場合には、集塵袋の口芯で未装着防止手段の操作体を操作可能とするよう配設されており、また、集塵体に集塵ボックスを採用する場合には、同様な構成として、集塵ボックスの前壁で未装着防止手段の操作体を操作可能とするよう配設されるものが多かった（例えば、特許文献１参照）。
【先行技術文献】
【特許文献】
【０００４】
【特許文献１】特開平１１−３３５０９号公報
【発明の概要】
【発明が解決しようとする課題】
【０００５】
しかしながら、前記従来の電気掃除機の構成では、外観性向上のためのデザイン、製造コストを下げるため共用部品の採用等の制約条件がある場合には、集塵体の前方で未装着防止手段の操作体を操作出来ないという課題があり、その場合には、他の場所で集塵ボックスを凹ますなどして、空間を確保しながら未装着防止手段を配設する必要があり、配設場所を、集塵ボックスの側方に構成する場合、通常のカバー体は、電気掃除機の幅方向断面形状が略Ｕ字状となっており、略Ｕ字状のカバー体の側方縁の近傍を未装着防止手段の操作体と当接させ完全に閉まるのを防止することになるが、略Ｕ字状のカバー体の側方縁近傍は、剛性が低く外に広がり易いため、集塵ボックスが未装着状態で、カバー体を強い力で押さえつけた場合には、カバー体の側方縁近傍が、未装着防止手段の操作体の外側に外れてロックが解除され、集塵体ボックスが未装着の状態で、カバー体が閉まってしまい、その状態で使用者が掃除を開始すると、電動送風機内部に塵埃が入り込み、故障を引き起こしてしまうという課題を有していた。
【０００６】
本発明は、前記従来の課題を解決するもので、未装着防止手段を略Ｕ字状のカバー体の側方縁の近傍に配設した場合にも、確実に集塵体の未装着を防止することができる電気掃除機を提供することを目的とする。
【課題を解決するための手段】
【０００７】
前記従来の課題を解決するために、本発明の電機掃除機は、集塵体と、前記集塵体の上方を覆う断面略Ｕ字状のカバー体と、前記カバー体の側方縁近傍に配設され、前記集塵体
が未装着時に前記カバー体が完全には閉まらないようにするための未装着防止手段を備え、前記未装着防止手段の前記カバー体が当接するカバー体当接部に、前記側方縁が外方に開くのを防止する開き防止手段を設けたもので、集塵体未装着状態で剛性の低い略Ｕ字状のカバー体の側方縁近傍を未装着防止手段のカバー体当接部に当接させカバー体の閉まりを防止している状態で、カバー体が強い力で押さえ付けられた場合にも、カバー体の側方縁が未装着防止手段の外側に外れてロックが解除してしまうことを防止することが可能となり、未装着防止手段の信頼性を向上させることが出来る。
【０００８】
また、掃除機本体のカバー体の側方縁の外側に開き防止手段を設けてしまうと、常に外部から見えてしまい外観性を損なってしまうが、集塵体未装着時には、カバー体内部に収納される未装着防止手段に開き防止手段を設けることで、例えカバー体が透明材で形成された場合にも、カバー体が閉まっている通常状態では、開き防止手段を目視し難い状態とすることが可能となり、外観性をも向上させることが出来る。
【発明の効果】
【０００９】
本発明の電気掃除機は、剛性の低い略Ｕ字状のカバー体の側方縁近傍に配設された集塵体の未装着防止手段の信頼性を、外観を損ねることなく向上出来る。
【図面の簡単な説明】
【００１０】
【図１】本発明の実施の形態１における電気掃除機の集塵ボックス収納時の外観斜視図
【図２】同電気掃除機の未装着防止手段の機能時の状態を示す外観斜視図
【図３】同電気掃除機の集塵ボックス収納時の要部断面図
【図４】同電気掃除機の未装着防止手段の機能時の状態を示す要部断面図
【図５】本発明の実施の形態２における電気掃除機の未装着防止手段の機能時の状態を示す要部断面図
【発明を実施するための形態】
【００１１】
第１の発明は、集塵体と、前記集塵体の上方を覆う断面略Ｕ字状のカバー体と、前記カバー体の側方縁近傍に配設され、前記集塵体が未装着時に前記カバー体が完全には閉まらないようにするための未装着防止手段を備え、前記未装着防止手段の前記カバー体が当接するカバー体当接部に、前記側方縁が外方に開くのを防止する開き防止手段を設けたもので、集塵体未装着状態で剛性の低い略Ｕ字状のカバー体の側方縁近傍を未装着防止手段のカバー体当接部に当接させカバー体の閉まりを防止している状態で、カバー体が強い力で押さえ付けられた場合にも、カバー体の側方縁が未装着防止手段の外側に外れてロックが解除してしまうことを防止することが可能となり、未装着防止手段の信頼性を向上させることが出来る。
【００１２】
また、掃除機本体のカバー体の側方縁の外側に開き防止手段を設けてしまうと、常に外部から見えてしまい外観性を損なってしまうが、集塵体未装着時には、カバー体内部に収納される未装着防止手段に開き防止手段を設けることで、例えカバー体が透明材で形成された場合にも、カバー体が閉まっている通常状態では、開き防止手段を目視し難い状態とすることが可能となり、外観性をも向上させることが出来る。
【００１３】
第２の発明は、特に、第１の発明の開き防止手段として、カバー体当接部のカバー体の側方縁より外側に、前記側方縁が外方に開くのを防止する開き防止突部を設けたもので、開き防止突部で、カバー体の側方縁の開きを防止することで、集塵体未装着状態でカバー体が強い力で押さえつけられた場合にも、カバー体の側方縁が未装着防止手段の外側に外れてロックが解除されてしまうことを防止することが可能となり、未装着防止手段の信頼性を向上させることが出来る。
【００１４】
また、比較的強度があるカバー体の側方縁を当てることで、比較的強い力がかかった場合にも、側方縁が破損することはないので、未装着防止手段の信頼性が低下するのを防止出来る。
【００１５】
第３の発明は、特に、第１の発明の開き防止手段として、カバー体当接部に外側上がりの傾斜面を設けると共に、カバー体の未装着防止手段が当接する当接部に、前記傾斜面と対向する傾斜部を設けたもので、傾斜面と傾斜部が当接した状態で、カバー体が押さえつけられた時には、カバー体の側方縁を内側に撓ませる力が発生し、カバー体の側方縁が操作体の外側に外れてロックが解除されてしまうことを防止することが可能となり、未装着防止手段の信頼性を向上させることが出来る。
【００１６】
また、傾斜面と傾斜部が当接することで、操作体とカバー体の接触面積を稼ぐことが可能となり、比較的強い力がかかった場合にも側方縁は破損することはないので、未装着防止手段の信頼性が低下するのを防止出来る。
【００１７】
以下、本発明の実施の形態について、図面を参照しながら説明する。なお、この実施の形態によって本発明が限定されるものではない。
【００１８】
（実施の形態１）
図１は、本発明の実施の形態１における電気掃除機の集塵ボックス収納時の外観斜視図、図２は、同電気掃除機の未装着防止手段の機能時の状態を示す外観斜視図、図３は、同電気掃除機の集塵ボックス収納時の要部断面図、図４は、同電気掃除機の未装着防止手段の機能時の状態を示す要部断面図である。
【００１９】
図１〜図３に示すように、本実施の形態における電気掃除機の掃除機本体１は、吸込口体（図示せず）と延長管（図示せず）と連通するホース（図示せず）が接続され、前部にホースと連通する吸引口２、後部に電動送風機（図示せず）、吸引口２と電動送風機との間に集塵体３を収納する集塵体収納部４及び、集塵体３の上方を覆う透明材で形成された断面略Ｕ字状のカバー体５を有している。
【００２０】
また、集塵体３の外郭側面には、操作突起６を配設すると共に、掃除機本体１の操作突起６に対向する位置には、集塵体３の未装着時にカバー体５が完全に閉まらないようにする未装着防止手段としての操作体７が、バネ体８の復元力で回動自在に軸支されている。
【００２１】
図４に示すように、未装着防止手段の操作体７の、カバー体５と当接するカバー体当接部９のカバー体５の側方縁１０より外側に、開き防止突部１１を配設している。
【００２２】
以上のように構成された本実施の形態における電気掃除機について、その動作、作用を説明する。
【００２３】
まず、掃除機本体１が運転状態になると、電動送風機からの吸引力により、床面の塵埃が吸込口体、延長管、ホースを介して集塵体３に吸引される。集塵体３内に、塵埃が一杯になった時には、使用者は塵埃を捨てるためカバー体５を開け、集塵体３を外部に取り出す。
【００２４】
その時には、操作体７は、集塵体３の離脱動作に連動して操作体７の開き防止突部１１がカバー体５の側方縁１０より外側となる位置まで回動し、集塵体３が未装着状態で万一、カバー体５を閉めようとした場合にも、カバー体５の側方縁１０の、操作体７と当接する操作体当接部１３が、操作体７のカバー体当接部９に当接し、完全には閉まらず、使用
者に集塵体３の付け忘れを認識させ、集塵体３が無い状態で掃除され、電動送風機内部に塵埃が入り込み、故障が発生することを防止することができる。
【００２５】
以上のように、本実施の形態１においては、開き防止突部１１でカバー体５の側方縁１０の開きを防止することにより、カバー体５が強い力で押さえ付けられた場合にも、カバー体５の側方縁１０が、操作体７の外側に外れてロックが解除してしまうことを防止することができ、未装着防止手段である操作体７の信頼性を向上させることが出来る。
【００２６】
また、集塵体３の未装着時には、カバー体５の内部に収納される操作体７に開き防止手段である開き防止突部１１を設けることで、カバー体５が透明材で形成された場合にも、カバー体５が閉まっている通常状態では、開き防止突部１１を目視し難い状態とすることが可能となり、外観性をも向上させることが出来る。
【００２７】
（実施の形態２）
図５は、本発明の実施の形態２における電気掃除機の未装着防止手段の機能時の状態を示す要部断面図である。なお、実施の形態１と同一部分については、同一符号を付してその説明を省略する。
【００２８】
本実施の形態における電気掃除機は、図５に示すように、操作体７のカバー体当接部９に外側上がりの傾斜面１２を設けると共に、カバー体５の操作体当接部１３に、操作体７の傾斜面１２と対向する傾斜部１４を設けたものである。
【００２９】
以上のように構成された本実施の形態における電気掃除機について、その動作、作用を説明する。
【００３０】
まず、掃除機本体１が運転状態になると、電動送風機からの吸引力により、床面の塵埃が吸込口体、延長管、ホースを介して集塵体３に吸引される。集塵体３内に塵埃が一杯になった時には、使用者は、塵埃を捨てるためカバー体５を開け、集塵体３を外部に取り出す。
【００３１】
その時には、操作体７は、集塵体３の離脱動作に連動して操作体７の傾斜面１２がカバー体５の操作体当接部１３の傾斜部１４に対向する位置まで回動し、集塵体３未装着状態で万一、カバー体５を閉めようとした場合、カバー体５の傾斜部１４が操作体７の傾斜面１２に当接し、完全には閉まらず、使用者に集塵体３の付け忘れを認識させ、集塵体３が無い状態で掃除され、電動送風機内部に塵埃が入り込み、故障が発生することを防止することができる。
【００３２】
以上のように、本実施の形態２においては、操作体７の傾斜面１２とカバー体５の傾斜部１４で、カバー体５の側方縁１０の開きを防止することにより、傾斜面１２と傾斜部１４が当接した状態でカバー体５が押さえつけられた時には、カバー体５の側方縁１０を内側に撓ませる力が発生し、カバー体５の側方縁１０が、操作体７の外側に外れてロックが解除してしまうことを防止することが可能となり、未装着防止手段の信頼性を向上させることが出来る。
【００３３】
また、傾斜面１２と傾斜部１４が当接することで、操作体７とカバー体５の接触面積を稼ぐことが可能となり、比較的強い力がかかった場合にも側方縁１０は破損することはなく、未装着防止手段の信頼性が低下することを防止することが出来る。
【産業上の利用可能性】
【００３４】
以上のように、本発明にかかる電気掃除機は、外観性を損ねることなく、集塵体の未装
着防止手段の信頼性を向上出来るので、家庭、業務用の電気掃除機に有用である。
【符号の説明】
【００３５】
１  掃除機本体
３  集塵体
５  カバー体
７  操作体（未装着防止手段）
９  カバー体当接部
１０  側方縁
１１  開き防止突部（開き防止手段）
１３  操作体当接部（当接部）
１４  傾斜部
【図１】
2013048724.tif 000003
【図２】
2013048724.tif 000004
【図３】
2013048724.tif 000005
【図４】
2013048724.tif 000006
【図５】
2013048724.tif 000007